(57)【要約】【課題】口腔内清掃の際、口当りが悪く歯周ポケットに挿入することも難かしいばかりか、該部分を傷つける場合もあった、ディスク型ブラシ素子先端部（カットのみ）を、口当りもソフトで良く、歯周ポケット底面部にも届き且、該清掃にも適合したテーパー形状とすることを課題とした。【解決手段】３６０°全方向にブラシ毛を有する３６０°型歯ブラシの製造後または、ディスク型ブラシ素子を製造後専用小径軸に通し両端を固定した後、前記各ブラシ径より小径の内部全面にペーパー部を有し、両端部に開口部を設けた筒形状の専用機に挿入し前進させる行程と、該各ブラシを一旦外部に出し後退（引き戻す）させる工程に加え、筒形状の専用機を左右に回転させるか、寸動させることで内蔵された前記ペーパー部によって、ブラシ毛先端部にテーパー部が完成する。【選択図】図１
2020192303.tif 000002
【特許請求の範囲】
【請求項１】
片手で握り往復移動させることができる形状のハンドルに小径の軸を設け該小径の軸に、中心部に小孔を有し、該外周部が溶着固定され且、ブラシ毛先端部がテーパー形状に加工されたディスク型ブラシ素子を積層した後、前記小径の軸先端部を溶解固定したことを特徴とする３６０°型歯ブラシ。
【請求項２】
請求項１の３６０°型歯ブラシであって、ハンドルに設けた小径の軸に積層されたブラシ毛先端部がテーパー形状に加工されたディスク型ブラシ素子が回転することを特徴とする歯ブラシ。
【請求項３】
請求項１又は２の３６０°型歯ブラシであって、ブラシ毛先端部がテーパー形状に加工されたディスク型ブラシ素子と、スペーサーが交互にハンドルに設けた小径の軸に積層されたことを特徴とする歯ブラシ。
【請求項４】
請求項１又は２の３６０°型歯ブラシであって、ブラシ毛先端部がテーパー形状に加工されたディスク型ブラシ素子と、小径のディスク型ブラシ素子又はゴム製のディスク型ブラシ素子を交互にハンドルに設けた小径の軸に積層されたことを特徴とする歯ブラシ。
【請求項５】
請求項１又は２の３６０°型歯ブラシであって、ブラシ毛先端部がデーパー形状に加工されたディスク型ブラシ素子側面全周に凸部を設け、該ディスク型ブラシ素子をハンドルに設けた小径の軸に積層されたことを特徴とする歯ブラシ。
【請求項６】
片手で握り往復移動させることができる形状のハンドルに小径の軸を設ける工程と、該小径の軸に、中心部に小孔を有し、該外周部が溶着固定され且、ブラシ毛先端部がテーパー形状に加工されたディスク型ブラシ素子を製造する工程と、該ディスク型ブラシ素子を好適量積層する工程と、前記小径の軸先端部を溶解固定する工程を特徴とする３６０°型歯ブラシ。
【発明の詳細な説明】
【技術分野】
【０００１】本願発明は、３６０°型歯ブラシにおいて、該毛先がテーパー形状である歯ブラシと、該製造方法に関する。
【背景技術】
【０００２】現在、市販される３６０°型歯ブラシは大別して図１の形状の商品と、図２に示す回軸歯ブラシがあり、それに関する特許文献を下記に示した。【０００３】
【特許文献１】特許登録３６４６１１８号公報。
【特許文献２】特許登録４０００３５５号公報。
【特許文献３】特許登録４５７９３４５号公報。
【特許文献４】特許登録４０４０７５４号公報。
【発明者が解決しょうとする課題】
【０００４】前記、文献に記載され現在市販される３６０°型歯ブラシ及び、回転歯ブラシにおいては、ブラシ毛先端部の加工が一切なされていない商品が大半であり、口腔内清掃の際、口当りが悪く歯周ポケットに挿入することも難かしいばかりか、該部分を傷つける場合もあった。これら前記課題を解決する口当りが良く、歯周ポケット清掃にも適合した溶着歯ブラシ製造を課題とした。
【課題を解決するための手段】
【０００５】３６０°全方向にブラシ毛を有する３６０°型歯ブラシ図１の製造後または、ディスク型ブラシ素子を製造後専用小径軸に通し両端を固定した後、前記各ブラシ径より小径の内部全面にペーパー部を有し、両端部に開口部を設けた筒形状の専用機に挿入し前進させる行程と、該各ブラシを一旦外部に出し後退（引き戻す）させる工程に加え、筒形状の専用機を左右に回転させるか、寸動させることで内蔵された前記ペーパー部によって、ブラシ毛先端部にテーパー部が完成する。
【０００６】前記、専用機筒の内にモース硬化がブラシ素材物性より高い粉体（超微粉末）を挿入することで、内蔵されたペーパーに加え前記粉体が媒体となることで、ブラシ毛先端テーパー部の製造時間短縮と、超微粉未を使用することで表面粗度が高く滑らかとなり、仕上りも好適となる。
【発明の効果】
【０００７】３６０°型歯ブラシのブラシ毛先端部をテーパー形状に加工することで、現在販売されているテーパー毛植毛歯ブラシ同様に口腔内清掃の際、歯周ポケット内部の清掃も可能となった。加えて、歯間部の清掃効果も上昇した。
【０００８】そして、今迄のブラシ毛先端がカットするだけで角が鋭利に尖った状態から、テーパー形状となることから口当りが良くソフトとなった。
【０００９】また、ディスク型ブラシ製造面から考えると、ブラシ毛先端部をテーパー形状（細くする）とすることで、腰が有り且、硬く吸水性に優れ安価である飽和ポリエステル（ＰＥＴ）、ポリブチルテレフタレート（ＰＢＴ）毛を使用することが可能となった。そして、ブラシ毛の丈が短かいことから、柔らかい使用感を演出するために必要以上の細いブラシ毛径０、０７ｍｍなどを使用する必要もなくなり、口当りが良くソフトな感覚からブラシ毛の丈を１〜２ｍｍ長くする（円筒ブラシ直径が通常の１５ｍｍから１７〜１９ｍｍ）ことが可能となった。
【発明を実施するための最良の形態】
【００１０】以下、本願発明を実施するための最良の形態を図をもって説明する。【００１１】図１は、歯ブラシハンドル２の先端部の延長線上に突出した小径軸に、ディスク型ブラシ素子１とスペーサー３（小径のディスク型ブラシ素子、ゴム製のディスク型ブラシ素子、側面全周に凸部を有するディスク型ブラシ素子の場合も有り）を交互に好適量積層し、先端溶着部２Ａにより固定した３６０°型歯ブラシの全体製造を示す正面図である。【００１２】図２は、歯ブラシハンドル２の先端部の延長線垂直方向に、回転軸４を設け該軸に回転自由に前記、ディスク型ブラシ素子１とスペーサー３等を交互に挿入し、回転自由に回転軸４両端を固定したものである。【００１３】そして、図３はデスク型ブラシ素子１の構造を示す拡大平面図と側面図であり、放射状に広がるブラシ毛１Ａの中心部に中央小孔１Ｄを設け、該周囲全体に溶着部１Ｃを有し、該中央小孔１Ｄに前記、歯ブラシハンドル２の先端部の延長線上に突出した小径軸または、回転軸４に前記で示す方法でディスク型ブラシ素子を積層し、小径軸先端部に溶着部１Ｃを設けて固定する。【００１４】図３において、円内点線で示したブラシ毛先端テーパ部１Ｂの形状を、図４に拡大して示した。現在、市販される３６０°型歯ブラシのブラシ毛先端形状は１Ａに示すように、カットしただけの形状か、仕上げカットしただけの形状であるが、本願発明のブラシ毛先端テーパー部製造装置５を使用することで、１Ｂに示すようなテーパー部が完成する。【００１５】次に、図５において該製造方法を詳細に説明する。前記したように溶着部１Ｃにより溶着固定され終った３６０°型歯ブラシまたは、大量生産及び、回転歯ブラシ製造の場合は、ディスク型ブラシ素子１を予め、専用小径軸に通し両端を固定した後、ブラシ毛先端テーパー部製造装置５を使用して、ブラシ毛先端テーパー部１Ｂを加工する。該手順（工程）を３６０°型歯ブラシの場合をもって説明する。【００１６】ブラシ毛先端テーパー部製造装置５の筒状ブラシ挿入内部全体にはペーパー部５Ａを有し、３６０°型歯ブラシ入口、出口開口部５Ｂを設けた筒状ブラシ入口部に３６０°型歯ブラシを挿入し、出口開口部より外部に突出させる。次に、３６０°型歯ブラシを引き戻し入口開口部より外部に突出させる。この工程を「くり返す」ことで３６０°型歯ブラシのブラシ毛１は、ブラシ毛先端テーパー部製造装置５内部で、挿入ブラシ形状７と、引き戻しブラシ形状８となる。このブラシ形状を実現するために「ブラシ毛１を外部に突出」させる必要がある（Ｘ方向前進及び、後退）。【００１７】次に、ブラシ毛先端テーパー部製造装置５筒状ブラシ挿入部に、左回転（ＹＺ軸＋）、右回転（ＹＺ軸−）を加える。これは物理学的には両方向に対する「寸動」でもよい。これにより、ディスク型ブラシ素子１のブラシ毛１Ａ先端部には、ＸＹＺ軸±両方向（全方向）に力が均等に掛ることでテーパー形状（針形状）となる。また、この工程を短縮することで砲弾形状のブラシ毛１Ａ先端を製造することも可能である。それに加え、前記ペーパー部５Ａをモース硬度の高いエメラルド、ダイヤモンド研磨剤に変更し、［図６］で示した研磨剤供給装置６から放出する研磨剤６Ａを使用することで、該研磨剤６Ａが媒体となりブラシ毛１の研磨力は著しく上昇する。このように、３６０°型歯ブラシに使用されるディスク型ブラシ素子１先端が、テーパー毛となることで、前記した飽和ポリエステル、ポリブチルテレフタレート毛も使用可能となった。
【図面の簡単な説明】
【００１８】
【図１】３６０°型歯ブラシ全体構造を示す正面図。
【図２】回転歯ブラシの全体構造を示す正面図。
【図３】ディスク型ブラシ素子の形状を示す平面図と側面図。
【図４】ディスク型ブラシ素子先端形状（テーパー部）を示すイメージ図。
【図５】ディスク型ブラシ素子先端形状（テーパー部）の製造方法を示す工程図。
【図６】３６０°型歯ブラシブラシ毛先端部加工のため塗布される研磨剤を示すイメージ図。
【符合の説明】
【００１９】１、  ディスク型ブラシ素子。
１Ａ、ブラシ毛．
１Ｂ、ブラシ毛先端テーパー部．
１Ｃ、溶着部、
１Ｄ、中央小孔、
２、  歯ブラシハンドル．
２Ａ、先端溶着部．
３、  スペーサー．
４、  回転軸．
５、  ブラシ毛先端テーパー部製造装置．
５Ａ、ペーパー部．
５Ｂ、入口、出口開口部．
６、  研磨剤供給装置．
６Ａ、研磨剤、
７、  挿入ブラシ形状
８、  引き戻しブラシ形状
【図１】
2020192303.tif 000003
【図２】
2020192303.tif 000004
【図３】
2020192303.tif 000005
【図４】
2020192303.tif 000006
【図５】
2020192303.tif 000007
【図６】
2020192303.tif 000008
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
片手で握り往復移動させることができる形状のハンドル片方端に小径の軸を設け、該小径の軸に中心部に貫通小孔を有し、該外周部が溶着固定されたディスク型ブラシ素子を積層し、前記小径の軸先端部を溶解固定してなる３６０°型歯ブラシを、前記３６０°型歯ブラシのブラシ直径より小径の貫通穴を有し、該内面に研磨部を設けた挿入部に挿入前進させ外部に突出させた後、該３６０°型歯ブラシを後退させ外部に突出させる前後移動と、前記挿入部の左右回転寸動により、ブラシ毛先端部がテーパー形状に加工されたことを特徴とする３６０°型歯ブラシ。
【請求項２】
請求項１の３６０°型歯ブラシであって、該ハンドル片方端に、ハンドル軸方向に対し垂直方向に回転自由に設けられた小径の軸に、ブラシ毛先端部がテーパー形状に加工されたディスク型ブラシ素子が積層させたことを特徴とする３６０°型歯ブラシ。
【請求項３】
請求項１又は２の３６０°型歯ブラシであって、該ハンドル片方端に設けた小径の軸に、ブラシ毛先端部がテーパー形状に加工されたディスク型ブラシ素子と、スペーサーが交互に積層させたことを特徴とする３６０°型歯ブラシ。
【請求項４】
請求項１又は２の３６０°型歯ブラシであって、該ハンドル片方端に設けた小径の軸に、ブラシ毛先端部がテーパー形状に加工されたディスク型ブラシ素子と、外径の小さいディスク型ブラシ素子又は、ゴム製のディスク型ブラシ素子を交互に積層させたことを特徴とする３６０°型歯ブラシ。
【請求項５】
請求項１又は２の３６０°型歯ブラシであって、該ハンドル片方端に設けた小径の軸に、ブラシ毛先端部がテーパー形状に加工され且、該ブラシ素子側面全周に凸部を設け、ブラシ間に空間をもつ加工をしたディスク型ブラシ素子を積層させたことを特徴とする３６０°型歯ブラシ。
【請求項６】
片手で握り往復移動させることができる形状のハンドル片方端に小径の軸を設け、該小径の軸に中心部に貫通小孔を有し、該外周部が溶着固定されたディスク型ブラシ素子を積層し、前記小径の軸先端部を溶解固定してなる３６０°型歯ブラシを、前記３６０°型歯ブラシのブラシ直径より小径の貫通穴を有し、該内面に研磨部を設けた挿入部に挿入前進させ外部に突出させる工程と、該３６０°型歯ブラシを後退させ外部に突出させる工程と、前記挿入部の左右回転寸動工程により、ブラシ毛先端部がテーパー形状に加工されたことを特徴とする３６０°型歯ブラシの製造方法。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
歯ブラシのブラシ毛が全方向に放射状に広がる３６０°型歯ブラシを、前記３６０°型歯ブラシのブラシ直径より小径であり、該内面に研磨部を設けた円筒管に挿入し、該３６０°型歯ブラシを前後に移動させ、該都度、前記円筒管外にブラシ部を突出する工程と、前記円筒管内においてブラシ部を左右回転及び、反転寸動させる工程により、前記３６０°型歯ブラシのブラシ先端部をテーパー形状に加工することを特徴とする３６０°型歯ブラシのブラシ加工方法。
【請求項２】
請求項１の３６０°型歯ブラシのブラシ加工方法であって、前記ブラシ先端部をテーパー形状に加工する際、該ブラシ素材以上の硬度を有する粉体と、前記研磨部を併用して使用することで、加工効率を上昇させることを特徴とする３６０°型歯ブラシのブラシ加工方法。